(57)【要約】【課題】コンパクトな構成を有し、アクチュエータの駆動力を高めることができる撮像装置を提供する。【解決手段】アクチュエータ３０の磁石３２において、筐体の一部を構成するヨーク３１の角部に対向する位置Ａの肉厚ｔを、それ以外の位置Ｃ（例えば位置Ａから４５°ずれた位置）の肉厚より厚くなるようにしているので、その分だけ磁束密度を高めることができ、それによりアクチュエータ３０の駆動力を高めることができる。又、かかる構成により、スペースの有効活用が図れ、撮像装置５０のコンパクト化に貢献する。【選択図】図３
2007121853.tif 000002
【特許請求の範囲】
【請求項１】
筐体と、
前記筐体に対して光軸方向に移動可能な可動レンズを少なくとも１つ含む撮像レンズと、
前記可動レンズを移動させるためのアクチュエータと、を有し、
前記アクチュエータの磁石は、前記撮像レンズの光軸に直交する方向における肉厚が、周方向位置に応じて異なっていることを特徴とする撮像装置。
【請求項２】
前記アクチュエータのヨークは、前記撮像レンズの光軸に直交する方向の断面が多角形状であり、前記アクチュエータの磁石は、前記ヨークの少なくとも一つの角部に対向する位置の肉厚が、それ以外の位置の肉厚より厚くなっていることを特徴とする請求項１に記載の撮像装置。
【請求項３】
前記撮像レンズの光軸直交方向断面をとったとき、前記磁石の重心は、前記撮像レンズの光軸とほぼ一致することを特徴とする請求項１又は２に記載の撮像装置。
【請求項４】
前記磁石は、前記撮像レンズの光軸に直交する方向の断面が扇形状又は長方形状である複数の分割部からなり、光軸直交方向の厚みが最も厚い第１分割部から、光軸回りに４５度回転した位置における第２分割部は、前記第１分割部よりも光軸直交方向の厚みが薄くなっていることを特徴とする請求項１〜３のいずれかに記載の撮像装置。
【請求項５】
４つの前記第１分割部と、４つの前記第２分割部とが、周方向に交互に配置されていることを特徴とする請求項４に記載の撮像装置。
【発明の詳細な説明】
【技術分野】
【０００１】
本発明は、撮像装置に関し、例えばＣＣＤ型イメージセンサあるいはＣＭＯＳ型イメージセンサ等の固体撮像素子を用いた撮像装置などに用いられると好適な撮像装置に関する。
【背景技術】
【０００２】
近年、ＣＣＤ（Ｃｈａｒｇｅ  Ｃｏｕｐｌｅｄ  Ｄｅｖｉｃｅ）型あるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の固体撮像素子を用いた撮像装置の高性能化に伴い、オートフォーカス機構（以降ＡＦ機構という）を備えた撮像装置が搭載された携帯電話が普及しつつある。
【０００３】
特許文献１には、そのような撮像装置に用いることができる従来例として、レンズの周囲にアクチュエータを配置して、レンズを光軸方向に駆動できるレンズ駆動装置が開示されている。
【特許文献１】特開２００４−２８００３１号公報
【発明の開示】
【発明が解決しようとする課題】
【０００４】
ところで、特許文献１に記載の撮像装置に用いられるような一般的なボイスコイルモータにおいては、コイルの周囲に配置された磁石が中空円筒形状となっているのに対し、撮像装置を設置するスペースは角筒状のものが用意されていることが多い。かかる場合、設置スペースを有効利用できず、撮像装置の最大サイズの割には、ボイスコイルモータの駆動力が低くなるという問題がある。
【０００５】
本発明は、かかる従来技術の問題点に鑑みてなされたものであり、コンパクトな構成を有し、アクチュエータの駆動力を高めることができる撮像装置を提供することを目的とする。
【課題を解決するための手段】
【０００６】
請求項１に記載の撮像装置は、
筐体と、
前記筐体に対して光軸方向に移動可能な可動レンズを少なくとも１つ含む撮像レンズと、
前記可動レンズを移動させるためのアクチュエータと、を有し、
前記アクチュエータの磁石は、前記撮像レンズの光軸に直交する方向における肉厚が、周方向位置に応じて異なっていることを特徴とする。
【０００７】
一般的に、磁石の肉厚を増大させることにより、磁束密度を高めることができることが知られている。そこで、本発明によれば、撮像装置を設置するスペースが非円筒形状（例えば角筒状）である場合に、それに適合させるようにして、前記アクチュエータの磁石において、前記撮像レンズの光軸に直交する方向における肉厚を異ならせることで、スペースの有効活用を図るとともに、アクチュエータの駆動力を確保することができる。
【０００８】
請求項２に記載の撮像装置は、請求項１に記載の発明において、前記アクチュエータのヨークは、前記撮像レンズの光軸に直交する方向の断面が多角形状であり、前記アクチュエータの磁石は、前記ヨークの少なくとも一つの角部に対向する位置の肉厚が、それ以外の位置の肉厚より厚くなっていることを特徴とするので、厚くなっている分だけ磁束密度を高めることができ、それによりアクチュエータの駆動力を高めることができる。又、使用されないスペースを用いて、磁石の一部の肉厚を増大させているので、スペースの有効活用が図れ、前記撮像装置のコンパクト化に貢献する。なお、「角部に対向する位置」とは、角部に最も近接する位置に対して、光軸回りに±２０°以内の範囲の位置をいうものとする。
【０００９】
請求項３に記載の撮像装置は、請求項１又は２に記載の発明において、前記撮像レンズの光軸直交方向断面をとったとき、前記磁石の重心は、前記撮像レンズの光軸とほぼ一致することを特徴とするので、駆動時のバランスを確保できる。
【００１０】
請求項４に記載の撮像装置は、請求項１〜３のいずれかに記載の発明において、前記磁石は、前記撮像レンズの光軸に直交する方向の断面が扇形状又は長方形状である複数の分割部からなり、光軸直交方向の厚みが最も厚い第１分割部から、光軸回りに４５度回転した位置における第２分割部は、前記第１分割部よりも光軸直交方向の厚みが薄くなっていることを特徴とする。
【００１１】
請求項５に記載の撮像装置は、請求項４に記載の発明において、４つの前記第１分割部と、４つの前記第２分割部とが、周方向に交互に配置されていることを特徴とする。
【発明の効果】
【００１２】
本発明によれば、コンパクトな構成を有し、アクチュエータの駆動力を高めることができる撮像装置を提供することができる。
【発明を実施するための最良の形態】
【００１３】
以下、本発明の実施の形態を図面に基づいて説明する。図１は、本実施の形態にかかる撮像装置を含む撮像装置５０の斜視図であり、図２は、図１の撮像装置５０をII-II線を含む面で切断して矢印方向に見た図である。図３は、図２の撮像装置５０をIII-III線で切断して矢印方向に見た図である。
【００１４】
上記撮像装置５０は、光電変換部５１ａを有する固体撮像素子としてのＣＭＯＳ型イメージセンサ５１と、このイメージセンサ５１の光電変換部５１ａに被写体像を撮像させる撮像レンズとしての撮像レンズ１０と、イメージセンサ５１と撮像レンズ１０との間に配置されたＩＲカットフィルタＦと、イメージセンサ５１を保持すると共にその電気信号の送受を行う外部接続用端子５４（図１）を有する基板５２と、撮像レンズを支持する組立筐体２０と、フォーカシングレンズを駆動するアクチュエータ（フォーカスアクチュエータともいう）３０とを備え、これらが一体的に形成されている。尚、本撮像装置５０の光軸方向高さΔは、１０ｍｍ以下である。
【００１５】
上記イメージセンサ５１は、その受光側の平面の中央部に、画素（光電変換素子）が２次元的に配置された、受光部としての光電変換部５１ａが形成されており、その周囲には信号処理回路（不図示）が形成されている。かかる信号処理回路は、各画素を順次駆動し信号電荷を得る駆動回路部と、各信号電荷をデジタル信号に変換するＡ／Ｄ変換部と、このデジタル信号を用いて画像信号出力を形成する信号処理部等から構成されている。また、イメージセンサ５１の受光側の平面の外縁近傍には、多数のパッド（図示略）が配置されており、ワイヤＷを介して基板５２に接続されている。イメージセンサ５１は、光電変換部５１ａからの信号電荷をデジタルＹＵＶ信号等の画像信号等に変換し、ワイヤＷを介して基板５２上の所定の回路に出力する。ここで、Ｙは輝度信号、Ｕ（＝Ｒ−Ｙ）は赤と輝度信号との色差信号、Ｖ（＝Ｂ−Ｙ）は青と輝度信号との色差信号である。なお、撮像素子は上記ＣＭＯＳ型のイメージセンサに限定されるものではなく、ＣＣＤ等の他のものを使用しても良い。
【００１６】
基板５２は、その一平面上で上記イメージセンサ５１及び外筒２１を支持する支持平板５２ａと、支持平板５２ａに一端部が接続されたフレキシブル基板５２ｂ（図１）とを備えている。
【００１７】
支持平板５２ａは、表面に設けられた多数の信号伝達用パッドを有しており、これが前述したイメージセンサ５１からのワイヤＷと接続され、且つフレキシブル基板５２ｂと接続されている。
【００１８】
フレキシブル基板５２ｂは、上記の如くその一端部が支持平板５２ａと接続され、その他端部に設けられた外部接続用端子５４を介して支持平板５２ａと外部回路（例えば、撮像装置を実装した上位装置が有する制御回路）とを接続し、外部回路からイメージセンサ５１を駆動するための電圧やクロック信号の供給を受けたり、また、デジタルＹＵＶ信号を外部回路へ出力したりすることを可能とする。さらに、フレキシブル基板５２ｂの長手方向の中間部が可撓性又は変形容易性を備え、その変形により、支持平板５２ａに対して外部出力端子の向きや配置に自由度を与えている。
【００１９】
遮光性部材からなる組立筐体２０は、イメージセンサ５１を囲うようにして配置され基板５２に対して接着剤Ｂを用いて下端が接着されてなる下筒２１Ａと、下筒２１Ａの上部に取り付けられた短円筒状の上筒２１Ｂとからなる外筒２１と、前記外筒２１に取り付けられたヨーク３１とを含む。
【００２０】
図２において、下筒２１Ａの内周から光軸直交方向に延在するフランジ部２１ａには、ＩＲカットフィルタＦが取り付けられている。
【００２１】
組立筐体２０に対して移動可能に配置された移動筒２２は、短い大円筒部２２ａと、その上端に連結された長い小円筒部２２ｂと、その上端に形成された小フランジ部２２ｃと、大円筒部２２ａの下端から半径方向に延在する大フランジ部２２ｄとからなり、更に大円筒部２２ａを塞ぐようにして取り付けられる保持部材２２ｅが設けられている。移動筒２２は、物体側から第１レンズＬ１，第２レンズＬ２，第３レンズＬ３、第４レンズＬ４の順序で、これらを固定的に内包保持している。フランジ部２１ａの上面にストッパＳＰが設けられており、保持部材２２ｅに当接することで移動筒２２の移動制限を行っている。小フランジ部２２ｃの中央開口が開口絞りＳとなっている。
【００２２】
第１レンズＬ１のフランジ部Ｌ１ｆは、第２レンズＬ２のフランジ部Ｌ２ｆの上部を内包するようにして突き当て嵌合している。又、第３レンズＬ３のフランジ部Ｌ３ｆは、第２レンズＬ２のフランジ部Ｌ２ｆの下部を内包するようにして突き当て嵌合している。第１レンズＬ１と第２のレンズＬ２の外径は、第３レンズＬ３の外径より若干小さくなっている。従って、後述する態様で、レンズＬ１〜Ｌ３を小円筒部２２ｂ内に組み付けたとき、移動筒２２に対するレンズの光軸は、小円筒部２２ｂの内周面と第３レンズＬ３の外径との嵌合により精度良く位置決めされ、且つフランジ部同士の嵌合によって、第３レンズＬ３の光軸と、第１レンズＬ１と第２のレンズＬ２の光軸が精度良く位置決めされることとなる。
【００２３】
一方、最像側レンズである第４レンズＬ４のフランジ部Ｌ４ｆは、大円筒部２２ａの内周に突き当て嵌合されているので、それにより移動筒２２に対する第４レンズＬ４の光軸の位置決めを精度良く行える。保持部材２２ｅは、第４レンズＬ４のフランジ部Ｌ４ｆの下面に取り付けられている。
【００２４】
移動筒２２の小円筒部２２ｂの光軸直交方向外方には、アクチュエータ３０が配置されている。アクチュエータ３０は、移動筒２２の大フランジ部２２ｄの上端に接着され光軸方向に延在し、光軸を中心として円周方向に巻回して構成された円筒状のコイル３３と、上筒２１Ｂの上方においてコイル３３を内包するように配置された磁石３２と、磁石３２を支持すると共に、上方からコイル３３の内周までを覆うようにして、上筒２１Ｂに下端を取り付けられたヨーク３１とからなっている。
【００２５】
図２，３において、ヨーク３１は、角筒状の外壁３１ａと、円筒状の内壁３１ｂと、外壁３１ａの上縁と内壁３１ｂの上縁とを連結する頂壁３１ｃとを有する。磁石３２は、図３に示すように、周方向に４分割されて、分割部３２ａを形成しており、各分割部３２ａは略三角柱状であって、外壁３１ａと内壁３１ｂとの間のスペースを埋めるような形状を有している。従って、分割部３２ａの肉厚ｔは、外壁３１ａの角部に対向する位置で最も厚くなっている。
【００２６】
図２において、径の異なるドーナツ円板同士を連結位置の位相をずらせて連結した形状のばね部材２７は、その外周側を上筒部２１Ｂの下端近傍に固定し、その内周側を保持部材２２ｅの下面に固定している。一方、ばね部材２７に類似の形状を有するばね部材２８は、その外周側をヨーク３１の上面に固定し、その内周側を移動筒２２の上端に固定している。ばね部材２７，２８は、移動筒２２が光軸方向に移動することに応じて付勢力を発生するようになっている。
【００２７】
アクチュエータ３０のコイル３３のプラス端子は、移動筒２２の大フランジ部２２ｄを抜け保持部材２２ｅの外壁を延在する配線Ｈ１＋を介してばね部材２７に接続されている。更に、ばね部材２７は上筒２１Ｂの外壁を貫通し下筒２１Ａの外壁を延在するＨ２＋を介して基板５２に接続されている。又、コイル３３のマイナス端子は、移動筒２２の小円筒部２２ｂの外壁を延在する配線Ｈ１−を介してばね部材２８に接続されている。ばね部材２８はヨーク３１，上筒２１Ｂ、下筒２１Ａの外壁を延在するＨ２−を介して基板５２に接続されている。ボイスコイルモータの駆動原理は良く知られているので省略するが、外部よりばね部材２７，２８，配線Ｈ１＋、Ｈ２＋、Ｈ１−、Ｈ２−を介してコイル３３に電力を供給することで発生する磁力により、磁石３２に対してコイル３３を、供給された電力に応じて変位させることができるものである。
【００２８】
撮像レンズ１０は、物体側より順に、開口絞りＳ、正の屈折力を有し物体側に凸面を向けた第１レンズＬ１、負の屈折力を有する第２レンズＬ２，正の屈折力を有する第３レンズＬ３、負の屈折力を有する第４レンズＬ４とを有している。本実施の形態では、レンズＬ１、Ｌ２、Ｌ３、Ｌ４がフォーカシングレンズ（可動レンズともいう）を構成するが、レンズＬ４に比べ、レンズＬ１〜Ｌ３の外径を小さくしているため、この外径差を利用して、大型のアクチュエータ３０を搭載できるようになっている。
【００２９】
この撮像レンズ１０は、開口絞りＳ及び各レンズＬ１、Ｌ２、Ｌ３、Ｌ４を光学系として、固体撮像素子に対して被写体像の結像を行うためのものである。開口絞りＳは、撮像レンズ全系のＦナンバーを決定する部材である。 
【００３０】
撮像レンズ１０とイメージセンサ５１との間において外筒２１のフランジ部２１ａに保持されたＩＲカットフィルタＦは、例えば略矩形状や円形状に形成された部材である。
【００３１】
さらに、第１レンズＬ１と第２レンズＬ２の間、及び第２レンズＬ２と第３レンズＬ３との間に、遮光マスクＳＭが配置されており、それにより固体撮像素子に近いレンズ有効径の外側に不要光が入射することを防止し、ゴーストやフレアの発生を抑えることができる。
【００３２】
上述した撮像装置５０の使用態様について説明する。図４は、撮像装置５０を携帯端末としての携帯電話機１００に装備した状態を示す図である。また、図５は携帯電話機１００の制御ブロック図である。
【００３３】
撮像装置５０は、例えば、撮像レンズにおける外筒２１の物体側端面が携帯電話機１００の背面（液晶表示部側を正面とする）に設けられ、液晶表示部の下方に相当する位置になるよう配設される。
【００３４】
撮像装置５０の外部接続用端子５４は、携帯電話機１００の制御部１０１と接続され、輝度信号や色差信号等の画像信号を制御部１０１側に出力する。
【００３５】
一方、携帯電話機１００は、図５に示すように、各部を統括的に制御すると共に、各処理に応じたプログラムを実行する制御部（ＣＰＵ）１０１と、番号等をキーにより支持入力するための入力部６０と、所定のデータの他に撮像した画像や映像等を表示する表示部７０と、外部サーバとの間の各種清報通信を実現するための無線通信部８０と、携帯電話機１００のシステムプログラムや各種処理プログラム及び端末ＩＤ等の必要な諸データを記憶している記憶部（ＲＯＭ）９１と、制御部１０１によって実行される各種処理プログラムやデータ、若しくは処理データ、或いは撮像装置５０により撮像データ等を一時的に格納する作業領域として用いられる及び一時記憶部（ＲＡＭ）９２とを備えている。
【００３６】
携帯電話機１００を把持する撮影者が、被写体に対して撮像装置５０の撮像レンズ１０の光軸を向けると、イメージセンサ５１に画像信号が取り込まれるが、例えば像面ＡＦ処理などを行うことで、ピントズレを検出できる。制御部１０１は、このピントズレを解消する方向にレンズＬ１〜Ｌ４を駆動するように、アクチュエータ３０に対して電力を供給するので、外部接続用端子５４より配線Ｈ１＋、Ｈ２＋、Ｈ１−、Ｈ２−を介してコイル３３に電力が供給される。これにより発生した磁力と、変形したばね部材２７，２８の付勢力とを釣り合わせることにより、移動筒２２と共に最適な合焦位置にレンズＬ１〜Ｌ４を移動させ且つ保持することができるので、適切なオートフォーカス動作を実現できる。なお、電力供給の中断により、アクチュエータ３０の駆動力が消失すれば、移動筒２２は元の位置へと復帰する。
【００３７】
所望のシャッタチャンスで、図４に示すボタンＢＴを撮影者が押すことでレリーズが行われ、画像信号が撮像装置５０に取り込まれることとなる。撮像装置５０から入力された画像信号は、上記携帯電話機１００の制御系に送信され、記憶部９２に記憶されたり、或いは表示部７０で表示され、さらには、無線通信部８０を介して映像情報として外部に送信されることとなる。
【００３８】
本実施の形態によれば、アクチュエータ３０の磁石３２において、筐体の一部を構成するヨーク３１の角部に対向する位置Ａの肉厚ｔを、それ以外の位置Ｃ（例えば位置Ａから４５°ずれた位置）の肉厚より厚くなるようにしているので、その分だけ磁束密度を高めることができ、それによりアクチュエータ３０の駆動力を高めることができる。又、かかる構成により、スペースの有効活用が図れ、撮像装置５０のコンパクト化に貢献する。更に、本実施の形態において、磁石３２は、光軸を中心とする軸対称な配置であり、且つ光軸直交方向の厚みが軸対称的に厚くなっているので、その重心は光軸にほぼ一致し、それにより駆動時のバランスを確保できる。
【００３９】
図６は、本実施の形態の変形例にかかる図３と同様な図である。例えば、より高い光学性能を得るためにレンズの外径を増大させようとすると、コイル３３の径を増大させる必要が生じる。かかる場合、従来のように円筒形状の磁石を用いると、アクチュエータの最大寸法が増大することとなる。これに対し、本変形例によれば、アクチュエータの最大寸法を増大させることなく、コイル３３の径を増大させることができる。
【００４０】
より具体的に説明すると、図６において、コイル３３の径を増大させることに伴い、磁石３２の分割部３２ａの光軸直交方向断面を小さくし、ヨーク３１の角部に押し込めるようにしている。かかる変形例においても、筐体の一部を構成するヨーク３１の角部に対向する位置Ａの肉厚ｔを、それ以外の位置Ｃ（例えば分割部３２ａの周方向端部）の肉厚より厚くなるようにしているので、小さな分割部３２ａでも高い磁束密度を得ることができ、それによりアクチュエータ３０の駆動力を高めることができる。
【００４１】
図７は、本実施の形態の別な変形例にかかる図３と同様な図である。本変形例における磁石３２は、光軸直交方向断面が扇形状である肉厚ｔの第１分割部３２ａと、光軸直交方向断面が扇形状である肉厚ｔ’（＜ｔ）の第２分割部３２ａ’とを、周方向に交互に４つずつ配置した構成としている。肉厚の厚い第１分割部３２ａは、矩形状の支持平板５２ａの角部に向かい合う位置に、辺から光軸直交方向外方に張り出さないようにして配置しており、光軸直交方向の厚みが最も厚い第１分割部３２ａから、光軸回りに４５度回転した位置における第２分割部３２ａ’は、第１分割部３２ａよりも光軸直交方向の厚みが薄くなっている。ヨーク３１の外壁３１ａは、分割部３２ａ、３２ａ’の外周面に沿って、周方向に周期的に凹凸が生じるごとき略円筒形状となっている。
【００４２】
本変形例によれば、厚い肉厚ｔの第１分割部３２ａを配置することで、薄い肉厚ｔ’の第２分割部３２ａ’を全周に配置する場合に比べて、磁石の磁束密度を高めて、アクチュエータ３０の駆動力を高めることができる。又、ヨーク３１は、矩形状の支持平板５２ａから光軸直交方向外方に張り出さないようにして配置しているので、高い駆動力を有しながらも、スペースの有効利用を図ることができる。
【００４３】
図８は、本実施の形態の別な変形例にかかる図３と同様な図である。本変形例における磁石３２は、図８に示すように、光軸直交方向断面が長方形状である肉厚ｔの第１分割部３２ａと、光軸直交方向断面が長方形状である肉厚ｔ’（＜ｔ）の第２分割部３２ａ’とを、周方向に交互に４つずつ配置した構成としている。肉厚の厚い分割部３２ａは、矩形状の支持平板５２ａの角部に向かい合う位置に配置し、肉厚の薄い第２分割部３２ａ’は、支持平板５２ａの各辺に沿って光軸直交方向外方に張り出さないようにして配置しており、光軸直交方向の厚みが最も厚い第１分割部３２ａから、光軸回りに４５度回転した位置における第２分割部３２ａ’は、第１分割部３２ａよりも光軸直交方向の厚みが薄くなっている。ヨーク３１の外壁３１ａは、分割部３２ａ、３２ａ’の外周面に沿って、略八角筒形状となっている。
【００４４】
本変形例によれば、厚い肉厚ｔの第１分割部３２ａを配置することで、薄い肉厚ｔ’の第２分割部３２ａ’を全周に配置する場合に比べて、磁石の磁束密度を高めて、アクチュエータ３０の駆動力を高めることができる。又、ヨーク３１は、矩形状の支持平板５２ａから光軸直交方向外方に張り出さないようにして配置しているので、高い駆動力を有しながらも、スペースの有効利用を図ることができる。
【００４５】
以上、本発明を実施の形態を参照して説明してきたが、本発明は上記実施の形態に限定して解釈されるべきではなく、適宜変更・改良が可能であることはもちろんである。例えば、可動レンズはレンズＬ１〜Ｌ４のいずれか１枚以上であれば良く、更にレンズ総数は４枚に限られない。
【図面の簡単な説明】
【００４６】
【図１】本実施の形態にかかる撮像装置５０の斜視図である。
【図２】図１の撮像装置５０をII-II線を含む面で切断して矢印方向に見た図である。
【図３】図２の撮像装置５０をIII-III線で切断して矢印方向に見た図である。
【図４】撮像装置５０を携帯端末としての携帯電話機１００に装備した状態を示す図である。
【図５】携帯電話機１００の制御ブロック図である。
【図６】本実施の形態の変形例にかかる図３と同様な図である。
【図７】本実施の形態の別な変形例にかかる図３と同様な図である。
【図８】本実施の形態の別な変形例にかかる図３と同様な図である。
【符号の説明】
【００４７】
１０ 撮像レンズ
２０ 組立筐体
２１ 外筒
２１Ａ 下筒
２１Ｂ 上筒
２１ａ フランジ部
２１ｂ 凹部
２２ 移動筒
２２ａ 大円筒部
２２ｂ 小円筒部
２２ｃ 小フランジ部
２２ｄ 大フランジ部
２２ｅ 保持部材
２７ ばね部材
２８ ばね部材
３０ アクチュエータ
３１ ヨーク
３１ａ 外壁
３１ｂ 内壁
３１ｃ 頂壁
３２ 磁石
３２ａ、３２ａ’ 分割部
３３ コイル
５０ 撮像装置
５１ イメージセンサ
５１ａ 光電変換部
５２ 基板
５４ 外部接続用端子
６０ 入力部
７０ 表示部
８０ 無線通信部
９２ 記憶部
１００ 携帯電話機
１０１ 制御部
Ｂ 接着剤
ＢＴ ボタン
Ｆ カットフィルタ
Ｈ１＋、Ｈ２＋、Ｈ１−、Ｈ２− 配線
Ｌ１〜Ｌ４ レンズ
Ｓ 開口絞り
ＳＰ  ストッパ
Ｗ ワイヤ
【図１】
2007121853.tif 000003
【図２】
2007121853.tif 000004
【図３】
2007121853.tif 000005
【図４】
2007121853.tif 000006
【図５】
2007121853.tif 000007
【図６】
2007121853.tif 000008
【図７】
2007121853.tif 000009
【図８】
2007121853.tif 000010